(57)【要約】【課題】メダル貯留皿部に貯留されるメダルを、整列状態を維持したままで容易にメダル投入口に投入可能にする遊技機を提供する。【解決手段】メダル貯留皿部９に貯留されたメダルＭが厚み方向に重ねられた状態で整列して収容されるメダル収容体１０を備え、メダル収容体１０は、メダル貯留皿部９に脱着自在に装着可能な装着構造を有していると共に、メダルＭが収容された状態でメダル貯留皿部９から離脱してメダル投入部に設けられた収容体受け部に脱着自在に装着可能な装着構造を有している。これにより、整列状のメダルＭを容易にメダル投入口に投入可能とすることができる。【選択図】図６
2017185056.tif 000002
【特許請求の範囲】
【請求項１】
遊技媒体としてのメダルが投入されるメダル投入部と、払い出されたメダルが貯留されるメダル貯留皿部と、を具備する遊技機であって、
前記メダル貯留皿部に貯留されたメダルが厚み方向に重ねられた状態で整列して収容されるメダル収容体を備え、
前記メダル収容体は、
前記メダル貯留皿部に脱着自在に装着可能な装着構造を有していると共に、
前記メダルが収容された状態で前記メダル貯留皿部から離脱して前記メダル投入部に設けられた収容体受け部に脱着自在に装着可能な装着構造を有している
ことを特徴とする遊技機。
【請求項２】
前記メダル収容体は、収容されたメダルの整列方向に沿った先端部及び基端部を有し、
前記先端部には、収容されたメダルのうち先端部側のメダルが落下可能なメダル開口部が形成されており、
前記メダル収容体が前記メダル投入部に装着された状態で、前記メダル開口部と前記メダル投入部に形成されたメダル投入口とが対置し、前記メダル収容体に収容された整列状のメダルが前記基端部側から先端部側に向かって押し出されると順次前記先端部側のメダルが前記メダル開口部から落下して前記メダル投入口に投入されてなる
請求項１に記載の遊技機。
【請求項３】
前記メダル収容体は、
有底の外側収容体と、
前記外側収容体内に配置され、かつ前記メダルが厚み方向に重ねられた状態で整列して収容される有底の内側収容体と、
を有し、かつ、前記内側収容体が前記外側収容体に対して相対的に可動に設けられており、
さらに前記外側収容体の底部の一部には、メダルが落下可能な外側開口部が形成されていると共に、前記内側収容体の底部の一部には、メダルが落下可能な内側開口部が形成されており、
前記メダル収容体が前記メダル投入部に装着された状態で、前記外側収容体の前記外側開口部と前記メダル投入部に形成されたメダル投入口とが対置し、
前記外側収容体内に配置されている前記内側収容体は、
前記内側開口部と前記外側収容体の底部とが対置する投入準備状態と、
前記内側開口部と前記外側開口部とが対置して、前記内側収容体内のメダルが前記内側開口部と前記外側開口部とから落下し前記メダル投入口に投入される投入可能状態とに
選択的に状態変換してなる
請求項１に記載の遊技機。
【請求項４】
前記収容体受け部の上面部は、凹状の湾曲形状を有しており、
前記メダル収容体の下面部は、前記収容体受け部の上面部に対応する凸状の湾曲形状を有しており、
前記メダル収容体が、前記収容体受け部に装着された状態で、前記収容体受け部の上面部と前記メダル収容体の下面部とが適嵌する
請求項１乃至請求項３のいずれか１項に記載の遊技機。
【請求項５】
前記メダル貯留皿部は、前記メダル収容体が前記メダル貯留皿部から離脱した状態で、前記メダル貯留皿部内における前記メダル収容体が占有していた占有空間と、メダル貯留皿部内の他の空間とを遮断する遮断体を備えている
請求項１乃至請求項４のいずれか１項に記載の遊技機。
【発明の詳細な説明】
【技術分野】
【０００１】
本発明は、払い出されたメダルが貯留されるメダル貯留皿部を具備する遊技機に関する。
【背景技術】
【０００２】
例えば従来からある一般的な遊技機としてのスロットマシンは、円板形状のメダルを遊技媒体とし、所定枚数のメダルをメダル投入口から投入（ベット）して遊技を行い、特定の役に当選したなどの場合には、メダル貯留皿部に所定枚数のメダルが払い出される。
【０００３】
このようにしてメダル貯留皿部に払い出されるメダルは、順次、不規則に積み重なっていくことから、メダル貯留皿部に払い出されて貯留されているメダルを、メダル投入口に投入する際には、遊技者は複数のメダルを掴んだ後、さらにそのメダルをメダル投入口に投入しやすいように整列させる必要があり、手間がかかって面倒であった。なお、一般的にメダル貯留皿部はスロットマシンの下部に配置されていることが多く、これに対してメダル投入口は、メダル貯留皿部よりも上方に配置されていることが多い。
【０００４】
ここで、例えば特許文献１には、メダルを起立姿勢で厚み方向に重ねて収容可能な平滑面状の凹溝が形成された遊技機が開示されている。
【先行技術文献】
【特許文献】
【０００５】
【特許文献１】特開２００９−１３１４１４号公報
【発明の概要】
【発明が解決しようとする課題】
【０００６】
しかしながら、特許文献１に開示されている遊技機にあっては、凹溝から取り出されるメダルは整列状態となるものの、手の小さな遊技者や不慣れな遊技者は、整列された複数のメダルをメダル投入口に持っていく前に、これらのメダルをこぼしやすいという問題がある。特に、遊技に集中している遊技者は、表示される図柄や演出表示画面等を注視していることが多いため、手元がおろそかになりやすい。このため、手に取ったメダルを持ち上げるときにメダルがこぼれてしまったり、メダルの整列状態を崩してしまったりするおそれがある。
【０００７】
そこで本発明は、メダル貯留皿部に貯留されるメダルを、整列状態を維持したままでメダル投入口に容易に投入することができる遊技機を提供することを目的とする。
【課題を解決するための手段】
【０００８】
本発明は、遊技媒体としてのメダルが投入されるメダル投入部と、払い出されたメダルが貯留されるメダル貯留皿部と、を具備する遊技機であって、前記メダル貯留皿部に貯留されたメダルが厚み方向に重ねられた状態で整列して収容されるメダル収容体を備え、前記メダル収容体は、前記メダル貯留皿部に脱着自在に装着可能な装着構造を有していると共に、前記メダルが収容された状態で前記メダル貯留皿部から離脱して前記メダル投入部に設けられた収容体受け部に脱着自在に装着可能な装着構造を有していることを特徴とする遊技機である。
【０００９】
かかる構成にあって、メダル貯留皿部内のメダルをメダル投入部に投入する際には、遊技者は、整列状態のメダルが収容されたメダル収容体を手で持って、このメダル収容体をメダル貯留皿部から収容体受け部に移動させれば良い。このように本発明は、遊技者が直接手で整列状のメダルを持つ必要がないため、たとえ不慣れな遊技者でもメダル貯留皿部内のメダルをメダル投入部まで安全に移動させることができる。しかも、メダル収容体は、メダル貯留皿部にも、メダル投入部の収容体受け部にもそれぞれ装着及び離脱させることができる装着構造を有しているため、メダルの投入作業時に、適宜、メダル収容体をメダル貯留皿部又はメダル投入部に装着して確実に留め置くことができる。このため、メダル収容体の取り扱いが格段に容易となり、メダルの投入作業が極めて簡便となる。
【００１０】
前記遊技機にあって、前記メダル収容体は、収容されたメダルの整列方向に沿った先端部及び基端部を有し、前記先端部には、収容されたメダルのうち先端部側のメダルが落下可能なメダル開口部が形成されており、前記メダル収容体が前記メダル投入部に装着された状態で、前記メダル開口部と前記メダル投入部に形成されたメダル投入口とが対置し、前記メダル収容体に収容された整列状のメダルが前記基端部側から先端部側に向かって押し出されると順次前記先端部側のメダルが前記メダル開口部から落下して前記メダル投入口に投入されてなる構成が提案される。
【００１１】
かかる構成とすることにより、メダル投入部に装着されたメダル収容体に収容されているメダルを基端部側から先端部側に向かって押し出すという簡単な動作だけで、メダルをメダル投入口に順次投入していくことができる。このため、メダル投入時にメダルが不用意にこぼれてしまうことが抑制される。
【００１２】
また、前記遊技機にあって、前記メダル収容体は、有底の外側収容体と、前記外側収容体内に配置され、かつ前記メダルが厚み方向に重ねられた状態で整列して収容される有底の内側収容体と、を有し、かつ、前記内側収容体が前記外側収容体に対して相対的に可動に設けられており、さらに前記外側収容体の底部の一部には、メダルが落下可能な外側開口部が形成されていると共に、前記内側収容体の底部の一部には、メダルが落下可能な内側開口部が形成されており、前記メダル収容体が前記メダル投入部に装着された状態で、前記外側収容体の前記外側開口部と前記メダル投入部に形成されたメダル投入口とが対置し、前記外側収容体内に配置されている前記内側収容体は、前記内側開口部と前記外側収容体の底部とが対置する投入準備状態と、前記内側開口部と前記外側開口部とが対置して、前記内側収容体内のメダルが前記内側開口部と前記外側開口部とから落下し前記メダル投入口に投入される投入可能状態とに選択的に状態変換してなる構成も提案される。
【００１３】
かかる構成にあっては、メダル投入部に装着されたメダル収容体の内側収容体を投入準備状態から投入可能状態とするだけでメダルをメダル投入口に投入することができるため、メダル投入時にメダルが不用意にこぼれてしまうことが抑制される。
【００１４】
また、前記収容体受け部の上面部は、凹状の湾曲形状を有しており、前記メダル収容体の下面部は、前記収容体受け部の上面部に対応する凸状の湾曲形状を有しており、前記メダル収容体が、前記収容体受け部に装着された状態で、前記収容体受け部の上面部と前記メダル収容体の下面部とが適嵌することが望ましい。
【００１５】
かかる構成にあっては、メダル収容体が収容体受け部に装着された状態が安定して維持されるため、メダル収容体を落としてしまうようなことが防止される。
【００１６】
ところで、メダル貯留皿部からメダル収容体を離脱させた後に、メダル貯留皿部に残留するメダルの山が崩れてメダル収容体が占有していた占有空間にメダルが流れ込む場合がある。そうすると、メダル収容体をメダル貯留皿部に再装着する際に、流れ込んだメダルが邪魔になって当該部分からメダルを取り除く作業が別途必要となってしまう。
【００１７】
そこで、前記メダル貯留皿部は、前記メダル収容体が前記メダル貯留皿部から離脱した状態で、前記メダル貯留皿部内における前記メダル収容体が占有していた占有空間と、メダル貯留皿部内の他の空間とを遮断する遮断体を備えていることが望ましい。
【００１８】
かかる構成とすることにより、遮断体によってメダル収容体の装着位置にメダルが流れ込むことを好適に阻止することができる。
【図面の簡単な説明】
【００１９】
【図１】実施例１にかかるスロットマシンの正面図である。
【図２】実施例１にかかるメダル投入部を示し、（ａ）は正面図、（ｂ）は平面図、（ｃ）は右側断面図である。
【図３】実施例１にかかるメダル収容体を示し、（ａ）は正面図、（ｂ）は平面図、（ｃ）は背面図、（ｄ）は一部切欠右側面図、（ｅ）は（ｂ）のＡ−Ａ線断面図である。
【図４】実施例１にかかるカバー体を示し、（ａ）は正面図、（ｂ）は平面図、（ｃ）は右側面図である。
【図５】実施例１にかかるメダル貯留皿部を示し、（ａ）は部分切欠平面図、（ｂ）は（ａ）のＢ−Ｂ線断面図、（ｃ）は（ａ）のＣ−Ｃ線断面図である。
【図６】実施例１においてメダル貯留皿部からメダル収容体を離脱させる手順を示す説明図である。
【図７】図６から続く、メダル貯留皿部からメダル収容体を離脱させる手順を示す説明図である。
【図８】（ａ）は実施例１にかかるメダル投入部に装着されたメダル収容体の装着状態を示す正面図であり、（ｂ）はメダル投入部にメダル収容体が装着された状態を示す一部切欠右側断面図であり、（ｃ）はメダル収容体のメダルを押し出したときの状態を示す説明図である。
【図９】実施例２にかかるメダル収容体を示し、（ａ）は正面図、（ｂ）は一部切欠平面図、（ｃ）は背面図、（ｄ）は右側断面図である。
【図１０】実施例２にかかる外側収容体を示し、（ａ）は正面図、（ｂ）は平面図、（ｃ）は背面図、（ｄ）は一部切欠右側面図である。
【図１１】実施例２にかかる内側収容体を示し、（ａ）は正面図、（ｂ）は平面図、（ｃ）は背面図、（ｄ）は一部切欠右側面図である。
【図１２】（ａ）はメダル貯留皿部から離脱させたメダル収容体を示す説明図であり、（ｂ）は実施例２にかかるメダル投入部に装着されたメダル収容体の内側収容体が投入準備状態にあることを示す説明図であり、（ｃ）は内側収容体が投入可能状態にあることを示す説明図である。
【発明を実施するための形態】
【００２０】
本発明の遊技機をスロットマシンに適用した実施例を以下に説明する。
【００２１】
〔実施例１〕
実施例１のスロットマシン１Ａを図１〜図８に従って説明する。
図１に示すように、スロットマシン１Ａは、遊技者に対面する正面にメダル投入部２Ａが設けられている。メダル投入部２Ａは、遊技媒体としての円板形状のメダルＭ（図５等参照）が投入可能となっている。
【００２２】
また、スロットマシン１Ａは、遊技者がメダル投入部２Ａを介して内部に投入したメダルＭや、払い出されたメダルＭを所定枚数（５０枚）まで記憶保持しておく貯留保持手段（図示省略）を備えている。そして、スロットマシン１Ａの正面には、貯留保持手段に保持されたメダルをベットするためのベットボタン３と、リールの回転を開始するためのレバー４と、リールを停止させるための各停止ボタン５と、遊技者にリールを視認させるためのリール表示窓部６と、遊技の進行を演出表示する演出表示画面７とが設けられている。
【００２３】
さらに、スロットマシン１Ａの下部であって少なくともメダル投入部２Ａよりも下側の位置には、貯留保持機能の記憶保持枚数を超えたメダルＭを払い出すメダル払出口８と、メダル払出口８から払い出されたメダルＭが貯留される横長のメダル貯留皿部９とが設けられている。
【００２４】
さらに詳述すると、メダル投入部２Ａには、図１，２に示すように、メダルＭがスロットマシン１Ａ内に投入されるメダル投入口４１が形成されている。さらに、メダル投入口４１のスロットマシン１Ａにおける本体側の端部には、メダルＭの投入を容易とするための壁部４２が、メダル投入口４１の口縁に沿って起立状に設けられている。また、メダル投入口４１の遊技者側には、凹状の湾曲面からなる上面部４４を中央に有する収容体受け部４３が備えられている。
【００２５】
また、図５（ｂ）に示すように、メダル払出口８は、メダル貯留皿部９における中央の直上に配置されており、メダル払出口８から落下したメダルＭはメダル貯留皿部９の中央に形成された中央底面９ａ上に順次不規則に積み重なっていく。
【００２６】
次に、本発明の要部について説明する。
【００２７】
図１，図５等に示すように、メダル貯留皿部９の左右両端には、メダル収容体用装着開口部９ｂが開口されており、メダル収容体用装着開口部９ｂ内に、本発明にかかるメダル収容体１０が装着されている。そして、メダル収容体１０は、メダル収容体用装着開口部９ｂを介して遊技者側に向かって引き出すことでメダル貯留皿部９から離脱可能とされている。ここで、図３等に示すように、メダル貯留皿部９に装着されたメダル収容体１０にあって、メダル収容体１０のスロットマシン１Ａ側を先端部１５とし、遊技者側を基端部１６とする。
【００２８】
次に、メダル収容体１０について図３等に従って説明する。
メダル収容体１０は、図３に示したように、半割円筒形状の収容体本体１１を備えている。そして、収容体本体１１の内側にあたる内曲面部１２は、メダルＭの外周面と同じ曲率を有しており、内曲面部１２にメダルＭが厚み方向に重ねられた状態で整列することにより、複数（例えば２０枚）のメダルＭが収容体本体１１の軸線方向に沿って先端部１５から基端部１６にわたって収容可能とされている。
【００２９】
一方、収容体本体１１の外側であってメダル収容体１０の下面部にあたる外曲面部１３は、上述したメダル投入部２Ａにおける収容体受け部４３の上面部４４に対応する凸状の湾曲形状を有している。
【００３０】
また、先端部１５には、収容されたメダルＭのうち先端部１５側のメダルＭが落下可能な寸法形状のメダル開口部１７が形成されている。また、メダル開口部１７の左右両端には、先端方向に突出した凸片１８が各々形成されている。なお、各凸片１８は、少なくとも１枚のメダルＭの厚み分だけ先端側に突出している。
【００３１】
さらに各凸片１８には、上側に向かって突出するカバー体係止部１９が形成されている。カバー体係止部１９が係止するカバー体３０については、後述する。
【００３２】
また、メダル収容体１０の内曲面部１２の先端部１５には、互いに内向きに突出する左右一対のメダル係止部２０が設けられている。メダル係止部２０は、内曲面部１２に整列されたメダルＭを係止してメダル開口部１７からメダルＭが即時に落下しないように仮留めしておく機能を有する。なお、後述するように、メダル係止部２０は、弾性を有しており、整列状のメダルＭを基端部１６側から先端部１５側へ遊技者が押し出した際に容易に弾性変形して左右一対のメダル係止部２０間が拡開し、メダルＭがメダル開口部１７から落下可能となっている。
【００３３】
また、メダル収容体１０の基端部１６には、遊技者側に突出形成された摘み部２１が設けられている。さらに詳述すると、メダル収容体１０がメダル収容体用装着開口部９ｂ内に装着された状態においては、摘み部２１はメダル貯留皿部９の表面からさらに遊技者側へ突出しており、遊技者は、摘み部２１を摘んでメダル収容体１０を容易に引き出したり、持ち運んだりすることができる。
【００３４】
さらに、メダル収容体１０の外曲面部１３には、磁石２２が外曲面部１３の形状に沿って取り付けられている。具体的には、外曲面部１３に凹状のスペースが確保された上で、そのスペースに接着剤を介して磁石２２が固定され、その状態で磁石２２の表面と外曲面部１３の表面とが面一となっている。ここで、図２に示すように、上述したメダル投入部２Ａにおける収容体受け部４３の上面部４４にも、磁石４５が配置されており、後述するようにメダル収容体１０の磁石２２と、メダル投入部２Ａの磁石４５とが互いに磁着可能となっている。
【００３５】
次に、メダル収容体１０に係止可能となっているカバー体３０（遮断体）について図４に従って説明する。
図４（ａ），図４（ｂ）に示すように、カバー体３０は、断面コ字状で下向きに開口した長尺状部材で構成されており、図４（ｃ）に示すように、カバー体３０における一端部の下端には、左右一対の凹溝３１が設けられている。なお、凹溝３１は、各々上向きに切り込まれた形状を有し、メダル収容体１０における上向きに突出したカバー体係止部１９が下側から係止可能となっている。
【００３６】
次に、メダル貯留皿部９におけるメダル収容体１０及びカバー体３０の装着構造を、図５〜図７に従って詳述する。
【００３７】
上述のメダル貯留皿部９の正面部における左右両端には、遊技者側に開口するメダル収容体用装着開口部９ｂが各々配置されている。一方、図５（ａ）に示すように、メダル貯留皿部９の内部空間において左右両端には、占有空間Ｓが形成されており、図５（ｃ）に示すように、メダル貯留皿部９の側壁を介してメダル収容体用装着開口部９ｂと占有空間Ｓとが連通している。
【００３８】
さらに詳述すると、占有空間Ｓは、図５（ｃ）に示すように、メダル貯留皿部９の内部空間であって中央底面９ａの両側にそれぞれ設けられた低段部によって区画形成されており、メダル収容体用装着開口部９ｂからメダル収容体１０を挿入すると、メダル収容体１０が占有空間Ｓに配置される構造となっている。なお、メダル収容体１０は、先端部１５をメダル貯留皿部９の奥側に向けて占有空間Ｓに配置されることでメダル貯留皿部９に装着されることとなる。
【００３９】
さらに、図５（ａ），図５（ｂ）に示すように、占有空間Ｓの奥側には、カバー体収容空間３０ａがメダル貯留皿部９の奥行き方向に沿って形成されており、カバー体収容空間３０ａにカバー体３０が収容可能となっている。
【００４０】
そして、図６（ａ）に示すように、占有空間Ｓに配置されたメダル収容体１０のカバー体係止部１９が、カバー体収容空間３０ａに配置されたカバー体３０の凹溝３１に係止されている。
【００４１】
次に、本実施例におけるメダル収容体１０の使用態様を詳述する。
【００４２】
図５，図６（ａ）に示したように、メダル貯留皿部９の占有空間Ｓに装着されているメダル収容体１０は、メダル貯留皿部９の中央底面９ａに隣接している。このため、中央底面９ａに積み重なる複数のメダルＭは、遊技者の手作業により、適宜メダル収容体１０の内曲面部１２に沿って、当該メダルＭの厚み方向に重ねられた状態で整列して収容される。なお、内曲面部１２の曲面形状は、メダルＭの外周面と同形状を有しているため、ばらつき無く容易に整列させることができる。また、メダル収容体１０にメダルＭを整列状に収容する作業は、メダル貯留皿部９内で行うことができるため、メダルＭが外部へこぼれることはない。
【００４３】
そして、図５（ａ）、図６（ｂ）に示したように、メダル収容体１０にメダルＭを収容した状態で、メダル収容体１０の摘み部２１を遊技者が摘んで遊技者側へ引っ張ると、メダル収容体１０はメダル貯留皿部９から引き出される。このとき、メダル収容体１０のカバー体係止部１９にカバー体３０の凹溝３１が係止されているため、カバー体３０がカバー体収容空間３０ａからメダル貯留皿部９の占有空間Ｓ側に引き出される。
【００４４】
そして、メダル収容体１０がメダル収容体用装着開口部９ｂから抜き出たところで、カバー体３０の端部がメダル貯留皿部９の内壁に当接して占有空間Ｓに位置決めされる。
【００４５】
次に、図７（ａ）に示したように、遊技者は、手前側に引き出されたメダル収容体１０を下方へ動かして、カバー体係止部１９とカバー体３０の凹溝３１との係止を解除する。そうすると、図７（ｂ）に示したように、メダル収容体１０はメダル貯留皿部９から完全に離脱する。
【００４６】
ところで、メダル収容体１０がメダル貯留皿部９から離脱した状態にあっては、メダル収容体１０が占有していた占有空間Ｓに、カバー体３０が配置されることになる。したがって、カバー体３０によって占有空間Ｓの上側が被覆されることになり、メダル貯留皿部９の中央底面９ａに積み重なるメダルＭは、カバー体３０によって遮断されることで占有空間Ｓ内に落下することが不可能となる。
【００４７】
次に、メダル投入部２Ａにおけるメダル収容体１０の装着構造を、図８に従って詳述する。
【００４８】
図８（ａ），図８（ｂ）に示したように、メダル貯留皿部９から離脱させたメダル収容体１０は、メダル投入部２Ａの収容体受け部４３に装着される。具体的には、メダル収容体１０の下面となる外曲面部１３と、収容体受け部４３の上面部４４とが適嵌し、かつ、メダル収容体１０の外曲面部１３に配された磁石２２と、メダル投入部２Ａの上面部４４に配置された磁石４５とが磁着する。
【００４９】
また、メダル収容体１０がメダル投入部２Ａの収容体受け部４３に装着された際には、メダル収容体１０の凸片１８の先端とメダル投入部２Ａの壁部４２とが当接する。これにより、メダル収容体１０の先端部１５側に形成されたメダル開口部１７と、メダル投入部２Ａに形成されたメダル投入口４１とが上下方向において対置する位置に、メダル収容体１０が位置決めされる。
【００５０】
この状態で、図８（ｃ）に示すように、遊技者がメダル収容体１０に収容された整列状のメダルＭを基端部１６側から先端部１５側に向かって押し出すと、先頭のメダルＭがメダル係止部２０を弾性変形させてメダルＭがメダル開口部１７を通過可能となり、そして順次先端部１５側のメダルＭがメダル開口部１７から落下してメダル投入口４１に投入される。
【００５１】
ここで、メダルＭは、メダル貯留皿部９からメダル投入口４１に至るまでメダル収容体１０に収容された状態であり、常時、メダル収容体１０の内曲面部１２によって下側から支持された状態にある。このため、たとえ不慣れな遊技者でもメダル貯留皿部９内のメダルＭをメダル投入部２Ａまで安全に移動させることができる。しかも、メダル収容体１０は、メダル貯留皿部９にも、メダル投入部２Ａの収容体受け部４３にもそれぞれ装着させることができる装着構造を有しているため、メダルＭの投入作業時に、適宜、メダル収容体１０をメダル貯留皿部９又はメダル投入部２Ａに装着して確実に留め置くことができる。このため、メダル収容体１０の取り扱いが格段に容易となり、メダルＭの投入作業が極めて簡便となる。
【００５２】
また、メダル貯留皿部９において上述のようにカバー体３０が占有空間Ｓに配置されることにより、中央底面９ａと占有空間Ｓとが遮断され、メダル収容体１０の装着位置にメダルＭが流れ込むことを好適に阻止することができる。
【００５３】
なお、メダル収容体１０で収容されているメダルＭをメダル投入口４１に全て投入した後は、空のメダル収容体１０をメダル投入部２Ａの収容体受け部４３から離脱させた上で、当該メダル収容体１０をメダル収容体用装着開口部９ｂを介して占有空間Ｓに再装着する。具体的には、メダル収容体１０のカバー体係止部１９とカバー体３０の凹溝３１とを係止させつつメダル収容体１０でカバー体３０を押し込みながら元の占有空間Ｓに再配置する。そして、その後は上述の手順に沿って繰り返しメダル収容体１０を用いてメダルＭの投入作業を行えばよい。
【００５４】
なお、メダル収容体１０をメダル貯留皿部９に装着可能とするメダル収容体用装着開口部９ｂ及び占有空間Ｓにより、メダル貯留皿部９に対してメダル収容体１０を脱着自在に装着することができる装着構造が構成される。
【００５５】
また、メダル収容体１０の外曲面部１３、及びメダル投入部２Ａにおける収容体受け部４３の上面部４４、並びに、各磁石２２，４５により、メダル投入部２Ａに設けられた収容体受け部４３に対してメダル収容体１０を脱着自在に装着することができる装着構造が構成される。
【００５６】
〔実施例２〕
実施例２のスロットマシン１Ｂを図９〜図１２に従って説明する。
なお、上記実施例１と同様の構成を有するものについては同じ符号を付し、説明を省略する。
【００５７】
図９に示すメダル収容体５０は、有底の外側収容体６０（図１０参照）と外側収容体６０内に配置される有底の内側収容体８０（図１１参照）とを有している。
【００５８】
まず、図１０に従って外側収容体６０を説明する。
外側収容体６０は、先端部６５と基端部６６とを有している半割円筒形状の外側収容体本体６１を備えている。さらに、外側収容体本体６１の内側であって底部にあたる部分には、所定の曲率で湾曲した外側収容体内曲面部６２が形成されている。
【００５９】
また、外側収容体６０の外側の下面部にあたる外側収容体外曲面部６３は、所定の曲率で湾曲する凸状の湾曲形状を有している。なお、外側収容体外曲面部６３は、メダル収容体５０の下面部となり、後述するメダル投入部２Ｂの収容体受け部９３の上面部９４に対応する湾曲形状となっている。
【００６０】
また、外側収容体６０の先端部６５は、スロットマシン１Ｂ側に配されるものであり、先端部６５には外側開口部６７が形成されている。さらに、外側開口部６７の両端には、先端側に突出した凸片６８が形成され、凸片６８には、上側に向かって突出するカバー体係止部６９が形成されている。また、外側収容体内曲面部６２には、後述する内側収容体８０のスライド片８４が係合する左右一対のガイド溝７０が前後方向に沿って形成されている。
【００６１】
また、外側収容体６０の基端部６６は、遊技者側に配されるものであり、基端部６６には、遊技者側に突出形成された摘み部７１が設けられている。さらに詳述すると、外側収容体６０がメダル収容体用装着開口部９ｂ内に配置された状態においては、摘み部７１はメダル貯留皿部９の表面からさらに遊技者側へ突出している。このため、遊技者は摘み部７１を摘んで外側収容体６０を容易に引き出したり、持ち運んだりすることができる。
【００６２】
さらに、外側収容体６０の外側収容体外曲面部６３には、磁石７２が外側収容体外曲面部６３の形状に沿って取り付けられている。具体的には、外側収容体外曲面部６３に凹状のスペースが確保された上で、そのスペースに接着剤を介して磁石７２が固定され、その状態で磁石７２の表面と外側収容体外曲面部６３の表面とが面一となっている。ここで、メダル投入部２Ｂの収容体受け部９３にも、図１２（ｂ）に示すように、磁石９５が配置されており、後述するように、メダル収容体５０における外側収容体６０の磁石７２と、メダル投入部２Ｂの磁石９５とが互いに磁着可能となっている。
【００６３】
加えて、外側収容体本体６１における基端部６６の内周面側には、磁石７３が取り付けられている。ここで、図９等に示すように、後述する内側収容体８０にも、磁石８９が配置されており、外側収容体６０の磁石７３と内側収容体８０の磁石８９とが互いに磁着可能となっている。
【００６４】
次に、図１１に従って内側収容体８０について説明する。
内側収容体８０は、先端部８５と基端部８６とを有する半割円筒形状の内側収容体本体８１を備えている。また、内側収容体本体８１の内側であって底部にあたる部分には、内側収容体内曲面部８２が形成されており、内側収容体内曲面部８２上に、メダルＭが厚み方向に重ねられた状態で整列する。なお、内側収容体内曲面部８２は、メダルＭの外周面と同じ曲率を有する湾曲形状を具備している。
【００６５】
また、内側収容体本体８１の外側にあたる内側収容体外曲面部８３は、上述した外側収容体６０内に内側収容体８０が載置された状態で外側収容体内曲面部６２に面接触する形状となっており、これにより内側収容体８０が外側収容体６０に対して前後方向（先端部８５と基端部８６とを結ぶ方向）にスライド自在となっている。
【００６６】
また、内側収容体８０の内側収容体外曲面部８３には、外向きに突出した左右一対のスライド片８４が形成されている。そして、外側収容体６０内に内側収容体８０が載置された状態では、スライド片８４が外側収容体６０のガイド溝７０と係合している。なお、スライド片８４における前後方向（先端部８５と基端部８６とを結ぶ方向）の外寸は、ガイド溝７０における前後方向（先端部８５と基端部８６とを結ぶ方向）の内寸に比べて小さい長さとなっている。
【００６７】
さらに、内側収容体８０の先端部８５には、メダルＭが通過可能な内側開口部８７が形成されている。そしてさらに内側開口部８７より先端側には、収容されるメダルＭに対面する先端壁部８８が形成されており、収容されたメダルＭが先端壁部８８より先端側へ通過することが防止されている。
【００６８】
一方、内側収容体８０における基端部８６の外周面側には、外側収容体６０の磁石７３に磁着可能な磁石８９が取り付けられている。具体的には、基端部８６の外周面側に凹状のスペースが確保された上で、そのスペースに接着剤を介して磁石８９が固定され、その状態で磁石８９の表面と外周面の表面とが面一となっている。
【００６９】
そして、図９に示すように、外側収容体６０内に内側収容体８０が配置されることにより、メダルＭを整列状に収容することができるメダル収容体５０が構成されている。なお、外側収容体６０内に内側収容体８０が配置された状態では、外側収容体６０の磁石７３と内側収容体８０の磁石８９とが互いに磁着している。また、外側収容体６０のガイド溝７０と内側収容体８０のスライド片８４とが係合し、ガイド溝７０内をスライド片８４が前後移動可能となっている。
【００７０】
次に、メダル貯留皿部９におけるメダル収容体５０及びカバー体３０の装着構造を簡単に説明する。
【００７１】
実施例１と同様にメダル収容体５０がメダル貯留皿部９の占有空間Ｓに装着されているときは、外側収容体６０のカバー体係止部６９と、カバー体３０の凹溝３２とが係止している。
【００７２】
そして、メダル収容体５０に収容したメダルＭをメダル投入部２Ｂに投入すべく、遊技者がメダル収容体５０を手前側に引き出し、さらに外側収容体６０のカバー体係止部６９と、カバー体３０の凹溝３２との係止状態を解除すると、図１２（ａ）に示すように、メダル収容体５０がメダル貯留皿部９から離脱する。
【００７３】
このとき、内側収容体８０の磁石８９と、外側収容体６０の磁石７３とが磁着することによって内側収容体８０が外側収容体６０の基端部６６側に配置されている。これにより、内側開口部８７の下側に、外側収容体６０の外側収容体内曲面部６２が位置することになり、メダル収容体５０の内側開口部８７からメダルＭがこぼれ落ちてしまうことがない。
【００７４】
さらに、図１２（ｂ）に示すように、メダル貯留皿部９から離脱させたメダル収容体５０は、メダル投入部２Ｂの収容体受け部９３に装着される。具体的には、メダル収容体５０の下面となる外側収容体外曲面部６３と、収容体受け部９３の上面部９４とが適嵌し、かつ、メダル収容体５０の外側収容体外曲面部６３に配された磁石７２と、メダル投入部２Ｂの上面部９４に配置された磁石９５とが磁着する。
【００７５】
また、メダル収容体５０がメダル投入部２Ｂの収容体受け部９３に装着された際には、メダル収容体５０の凸片６８の先端とメダル投入部２Ｂの壁部９２とが当接する。これにより、外側収容体６０の先端部６５側に形成された外側開口部６７と、メダル投入部２Ｂに形成されたメダル投入口９１とが上下方向において対置すると共に、内側開口部８７の下側に、外側収容体６０の底部に対応する外側収容体内曲面部６２が対置する投入準備状態αとなる。かかる投入準備状態αにあっては、メダル収容体５０からメダルＭが落下してしまうことがない。
【００７６】
そして、次に、図１２（ｃ）に示すように、遊技者が整列状態のメダルＭをメダル投入部２Ｂの壁部９２に向かって押し出すと、これに伴い、先端側のメダルＭが内側収容体８０の先端壁部８８に押し当てられて、内側収容体８０が外側収容体６０に対して前方へ押し出される。このとき、外側収容体６０のガイド溝７０及び内側収容体８０のスライド片８４による案内作用によって、内側収容体８０が外側収容体６０に対して分離することなく所定距離だけ内側収容体８０が前方へスライド移動する。これにより、外側開口部６７と内側開口部８７とが対置することとなってメダルＭをメダル投入口９１に投入することができる投入可能状態βとなる。
【００７７】
さらに、遊技者が整列状態のメダルＭを押し出し続けることで、内側収容体８０に収容されている先端部８５側のメダルＭが、順次外側開口部６７と内側開口部８７とを介してメダル投入口９１に落下していく。
【００７８】
なお、内側収容体８０に収容されたメダルＭの押し込みを解除するか、あるいは全てのメダルＭを投入し終わると、外側収容体６０の磁石７３と内側収容体８０の磁石８９とが再度磁着して投入準備状態αに復帰する。そして、全てのメダルＭを投入し終わったら上記実施例１と同様にメダル収容体５０を再度メダル貯留皿部９に装着しなおせばよい。その後は上述の手順に沿って繰り返しメダル収容体５０を用いてメダルＭの投入作業を行うことができる。
【００７９】
なお、上記実施例において各部の寸法形状は適宜自由に選択可能である。
【００８０】
また、遮断体としてのカバー体３０に代えて、メダル収容体１０，５０をメダル貯留皿部９から引き抜く際に遊技機内部から占有空間Ｓに突き出される突出部材を採用しても構わない。
【００８１】
また、本発明にかかる装着構造は、収容体受け部４３，９３からメダル収容体１０，５０が不用意に落下しないものであれば特に限定されず、磁石を用いる以外にも、凹凸形状の係合機構や爪状の突起物による係合機構等であっても構わない。
【符号の説明】
【００８２】
１Ａ，１Ｂ      スロットマシン
２Ａ，２Ｂ      メダル投入部
９              メダル貯留皿部
１０，５０      メダル収容体
１１            収容体本体
１２            内曲面部
１３            外曲面部
１５            先端部
１６            基端部
１７            メダル開口部
３０            カバー体（遮断体）
４１，９１      メダル投入口
４３，９３      収容体受け部
４４，９４      上面部
６０            外側収容体
６１            外側収容体本体
６５            先端部
６６            基端部
６７            外側開口部
８０            内側収容体
８１            内側収容体本体
８５            先端部
８６            基端部
８７            内側開口部
Ｍ              メダル
Ｓ              占有空間
α              投入準備状態
β              投入可能状態
【図１】
2017185056.tif 000003
【図２】
2017185056.tif 000004
【図３】
2017185056.tif 000005
【図４】
2017185056.tif 000006
【図５】
2017185056.tif 000007
【図６】
2017185056.tif 000008
【図７】
2017185056.tif 000009
【図８】
2017185056.tif 000010
【図９】
2017185056.tif 000011
【図１０】
2017185056.tif 000012
【図１１】
2017185056.tif 000013
【図１２】
2017185056.tif 000014
【手続補正書】
【提出日】平成28年10月25日(2016.10.25)
【手続補正１】
【補正対象書類名】特許請求の範囲
【補正対象項目名】全文
【補正方法】変更
【補正の内容】
【特許請求の範囲】
【請求項１】
遊技媒体としてのメダルが投入されるメダル投入部と、払い出されたメダルが貯留されるメダル貯留皿部と、を具備する遊技機であって、
上方が開放された収容体本体を有し、前記メダル貯留皿部に貯留されたメダルが厚み方向に重ねられた状態で横置きに整列して収容されるメダル収容体を備え、
前記メダル収容体は、
前記メダル貯留皿部に脱着自在に装着可能な装着構造を有していると共に、
前記メダル投入部に設けられた、凹状の湾曲面からなる上面部を有する収容体受け部に脱着自在に装着可能な装着構造を有しており、
前記メダル収容体は、収容されたメダルの整列方向に沿った先端部及び基端部を有し、
前記先端部には、収容されたメダルのうち先端部側のメダルが落下可能なメダル開口部が形成されており、かつ前記先端部には、内向きに突出するメダル係止部が設けられて、整列されたメダルを係止して前記メダル開口部からメダルが即時に落下しないように仮留めする機能を有しており、
また前記メダル収容体の下面部は前記メダル投入部の前記収容体受け部の上面部に対応する湾曲形状を有しており、
前記メダル収容体が前記メダル投入部に装着された状態で、前記メダル収容体の下面部と前記メダル投入部の前記収容体受け部の上面部とが適嵌して前記メダル開口部と前記メダル投入部に形成されたメダル投入口とが対置し、前記メダル収容体に収容された整列状のメダルが前記基端部側から先端部側に向かって押し出されると前記メダル係止部が弾性変形してメダルが前記メダル開口部を通過可能となり、順次前記先端部側のメダルが前記メダル開口部から落下して前記メダル投入口に投入されてなる
ことを特徴とする遊技機。
【請求項２】
遊技媒体としてのメダルが投入されるメダル投入部と、払い出されたメダルが貯留されるメダル貯留皿部と、を具備する遊技機であって、
前記メダル貯留皿部に貯留されたメダルが厚み方向に重ねられた状態で整列して収容されるメダル収容体を備え、
前記メダル収容体は、
前記メダル貯留皿部に脱着自在に装着可能な装着構造を有していると共に、
前記メダル投入部に設けられた、凹状の湾曲面からなる上面部を有する収容体受け部に脱着自在に装着可能な装着構造を有しており、
前記メダル収容体は、
上方が開放された有底の外側収容体と、
前記外側収容体内に配置され、かつ前記メダルが厚み方向に重ねられた状態で横置きに整列して収容される、上方が開放された有底の内側収容体と、
を有し、かつ、前記内側収容体が前記外側収容体に対して相対的にスライド自在に設けられており、
前記外側収容体の下面部は、前記メダル投入部の前記収容体受け部の上面部に対応する湾曲形状を有していると共に、前記外側収容体の底部の一部には、メダルが落下可能な外側開口部が形成されていると共に、前記内側収容体の底部の一部には、メダルが落下可能な内側開口部が形成されており、
前記メダル収容体が前記メダル投入部に装着された状態で、前記外側収容体の下面部と前記メダル投入部の前記収容体受け部の上面部とが適嵌し、かつ、前記外側収容体の前記外側開口部と前記メダル投入部に形成されたメダル投入口とが対置し、
前記外側収容体内に配置されている前記内側収容体は、
前記外側収容体に対して相対的にスライド移動することにより、
前記内側開口部と前記外側収容体の底部とが対置する投入準備状態と、
前記内側開口部と前記外側開口部とが対置して、前記内側収容体内のメダルが前記内側開口部と前記外側開口部とから落下し前記メダル投入口に投入される投入可能状態とに
選択的に状態変換してなる
ことを特徴とする遊技機。
【請求項３】
遊技媒体としてのメダルが投入されるメダル投入部と、払い出されたメダルが貯留されるメダル貯留皿部と、を具備する遊技機であって、
前記メダル貯留皿部に貯留されたメダルが厚み方向に重ねられた状態で整列して収容されるメダル収容体を備え、
前記メダル収容体は、
前記メダル貯留皿部に脱着自在に装着可能な装着構造を有していると共に、
前記メダルが収容された状態で前記メダル貯留皿部から離脱して前記メダル投入部に設けられた収容体受け部に脱着自在に装着可能な装着構造を有しており、
前記メダル貯留皿部は、前記メダル収容体が前記メダル貯留皿部から離脱した状態で、前記メダル貯留皿部内における前記メダル収容体が占有していた占有空間と、メダル貯留皿部内の他の空間とを遮断する遮断体を備えている
ことを特徴とする遊技機。
【手続補正２】
【補正対象書類名】明細書
【補正対象項目名】０００８
【補正方法】変更
【補正の内容】
【０００８】
本発明は、遊技媒体としてのメダルが投入されるメダル投入部と、払い出されたメダルが貯留されるメダル貯留皿部と、を具備する遊技機であって、前記メダル貯留皿部に貯留されたメダルが厚み方向に重ねられた状態で整列して収容されるメダル収容体を備え、前記メダル収容体は、前記メダル貯留皿部に脱着自在に装着可能な装着構造を有していると共に、前記メダルが収容された状態で前記メダル貯留皿部から離脱して前記メダル投入部に設けられた収容体受け部に脱着自在に装着可能な装着構造を有していることを特徴とする遊技機である。特に望ましい構成は、遊技媒体としてのメダルが投入されるメダル投入部と、払い出されたメダルが貯留されるメダル貯留皿部と、を具備する遊技機であって、上方が開放された収容体本体を有し、前記メダル貯留皿部に貯留されたメダルが厚み方向に重ねられた状態で横置きに整列して収容されるメダル収容体を備え、前記メダル収容体は、前記メダル貯留皿部に脱着自在に装着可能な装着構造を有していると共に、前記メダル投入部に設けられた、凹状の湾曲面からなる上面部を有する収容体受け部に脱着自在に装着可能な装着構造を有しており、前記メダル収容体は、収容されたメダルの整列方向に沿った先端部及び基端部を有し、前記先端部には、収容されたメダルのうち先端部側のメダルが落下可能なメダル開口部が形成されており、かつ前記先端部には、内向きに突出するメダル係止部が設けられて、整列されたメダルを係止して前記メダル開口部からメダルが即時に落下しないように仮留めする機能を有しており、また前記メダル収容体の下面部は前記メダル投入部の前記収容体受け部の上面部に対応する湾曲形状を有しており、前記メダル収容体が前記メダル投入部に装着された状態で、前記メダル収容体の下面部と前記メダル投入部の前記収容体受け部の上面部とが適嵌して前記メダル開口部と前記メダル投入部に形成されたメダル投入口とが対置し、前記メダル収容体に収容された整列状のメダルが前記基端部側から先端部側に向かって押し出されると前記メダル係止部が弾性変形してメダルが前記メダル開口部を通過可能となり、順次前記先端部側のメダルが前記メダル開口部から落下して前記メダル投入口に投入されてなることを特徴とする遊技機である。
【手続補正３】
【補正対象書類名】明細書
【補正対象項目名】００１２
【補正方法】変更
【補正の内容】
【００１２】
また、前記遊技機にあって、前記メダル収容体は、有底の外側収容体と、前記外側収容体内に配置され、かつ前記メダルが厚み方向に重ねられた状態で整列して収容される有底の内側収容体と、を有し、かつ、前記内側収容体が前記外側収容体に対して相対的に可動に設けられており、さらに前記外側収容体の底部の一部には、メダルが落下可能な外側開口部が形成されていると共に、前記内側収容体の底部の一部には、メダルが落下可能な内側開口部が形成されており、前記メダル収容体が前記メダル投入部に装着された状態で、前記外側収容体の前記外側開口部と前記メダル投入部に形成されたメダル投入口とが対置し、前記外側収容体内に配置されている前記内側収容体は、前記内側開口部と前記外側収容体の底部とが対置する投入準備状態と、前記内側開口部と前記外側開口部とが対置して、前記内側収容体内のメダルが前記内側開口部と前記外側開口部とから落下し前記メダル投入口に投入される投入可能状態とに選択的に状態変換してなる構成も提案される。特に望ましい構成は、遊技媒体としてのメダルが投入されるメダル投入部と、払い出されたメダルが貯留されるメダル貯留皿部と、を具備する遊技機であって、前記メダル貯留皿部に貯留されたメダルが厚み方向に重ねられた状態で整列して収容されるメダル収容体を備え、前記メダル収容体は、前記メダル貯留皿部に脱着自在に装着可能な装着構造を有していると共に、前記メダル投入部に設けられた、凹状の湾曲面からなる上面部を有する収容体受け部に脱着自在に装着可能な装着構造を有しており、前記メダル収容体は、上方が開放された有底の外側収容体と、前記外側収容体内に配置され、かつ前記メダルが厚み方向に重ねられた状態で横置きに整列して収容される、上方が開放された有底の内側収容体と、を有し、かつ、前記内側収容体が前記外側収容体に対して相対的にスライド自在に設けられており、前記外側収容体の下面部は、前記メダル投入部の前記収容体受け部の上面部に対応する湾曲形状を有していると共に、前記外側収容体の底部の一部には、メダルが落下可能な外側開口部が形成されていると共に、前記内側収容体の底部の一部には、メダルが落下可能な内側開口部が形成されており、前記メダル収容体が前記メダル投入部に装着された状態で、前記外側収容体の下面部と前記メダル投入部の前記収容体受け部の上面部とが適嵌し、かつ、前記外側収容体の前記外側開口部と前記メダル投入部に形成されたメダル投入口とが対置し、前記外側収容体内に配置されている前記内側収容体は、前記外側収容体に対して相対的にスライド移動することにより、前記内側開口部と前記外側収容体の底部とが対置する投入準備状態と、前記内側開口部と前記外側開口部とが対置して、前記内側収容体内のメダルが前記内側開口部と前記外側開口部とから落下し前記メダル投入口に投入される投入可能状態とに選択的に状態変換してなることを特徴とする遊技機である。